【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  骨欠損を保護するための移植片であって、該移植片は、骨欠損上に移植される直前に移植片の形態として構成される移植前形態を有している移植片において、該移植片は、
第一の側および第二の側を有する再吸収性ポリマーベース材料のシートを備え、該再吸収性ポリマーベース材料のシートは、第一の側と第二の側との間の再吸収性ポリマーベース材料の層であり、前記再吸収性ポリマーベース材料のシートは、移植後２４ヶ月以内にその機械的強度の少なくとも一部を失うように再吸収性であり、
前記再吸収性ポリマーベース材料のシートに配設された複数の孔をさらに備え、前記移植片が移植前形態にあるときの移植片の前記複数の孔の少なくとも大部分は、約２０ミクロン〜約３５００ミクロンの範囲の径を有し、第一の側から第二の側まで延びる隔絶された流体流路を形成していることを特徴とする移植片。
【請求項２】  前記再吸収性ポリマーベース材料のシートは、実質的に平らであり、移植前形態では実質的に均一な厚さを有することを特徴とする請求項１に記載の移植片。
【請求項３】  前記移植片が移植前形態にあるときの移植片の前記複数の孔の少なくとも大部分は、第一の側から第二の側まで孔の長さに沿ってほぼ均一であることを特徴とする請求項１に記載の移植片。
【請求項４】  前記移植片は、ガラス転移温度を有し、また、
前記移植片は、移植前立体構造形態においてそのガラス転移温度まで加熱されることを特徴とする請求項１に記載の移植片。
【請求項５】  前記移植片が移植前立体構造形態にあるときの移植片の前記複数の孔の少なくとも大部分は、約２０ミクロン〜約３０００ミクロンの範囲の径を有することを特徴とする請求項４に記載の移植片。
【請求項６】  前記移植片が移植前形態にあるときの移植片の前記複数の孔の少なくとも大部分は、約５００ミクロン〜約２５００ミクロンの範囲の径を有することを特徴とする請求項４に記載の移植片。
【請求項７】  前記移植片が移植前立体構造形態にあるときの移植片の前記複数の孔の少なくとも大部分は、約５００ミクロン〜約２５００ミクロンの範囲の径を有することを特徴とする請求項４に記載の移植片。
【請求項８】  前記移植片が移植前立体構造形態にあるときの移植片の前記複数の孔の少なくとも大部分は、約５００ミクロン〜約２０００ミクロンの範囲の径を有することを特徴とする請求項４に記載の移植片。
【請求項９】  前記移植片が移植前形態にあるときの移植片の前記複数の孔の少なくとも大部分は、約１０００ミクロン〜約３０００ミクロンの範囲の径を有することを特徴とする請求項４に記載の移植片。
【請求項１０】  前記移植片が移植前形態にあるときの移植片の前記複数の孔の少なくとも大部分は、約１５００ミクロン〜約３０００ミクロンの範囲の径を有することを特徴とする請求項９に記載の移植片。
【請求項１１】  前記移植片が移植前形態にあるときの移植片の前記複数の孔の少なくとも大部分は、約１０００ミクロン〜約２５００ミクロンの範囲の径を有することを特徴とする請求項４に記載の移植片。
【請求項１２】  前記移植片が移植前形態にあるときの移植片の前記複数の孔の少なくとも大部分は、約１０００ミクロン〜約２５００ミクロンの範囲の径を有することを特徴とする請求項１１に記載の移植片。
【請求項１３】  前記再吸収性ポリマーのシートは、約１００〜５００ミクロンの厚さを有し、
前記移植片が移植前形態にあるときの移植片の前記複数の孔の少なくとも大部分は、約５０ミクロン〜約１０００ミクロンの範囲の径を有することを特徴とする請求項４に記載の移植片。
【請求項１４】  前記移植片が移植前形態にあるときの移植片の前記複数の孔の少なくとも大部分は、約５０ミクロン〜約３００ミクロンの範囲の径を有することを特徴とする請求項１３に記載の移植片。
【請求項１５】  前記再吸収性ポリマーのシートは、約５００ミクロンの厚さを有し、
前記移植片が移植前形態にあるときの移植片の前記複数の孔の少なくとも大部分は、約５００ミクロン〜約２０００ミクロンの範囲の径を有することを特徴とする請求項４に記載の移植片。
【請求項１６】  前記再吸収性ポリマーのシートは、約１０００〜２０００ミクロンの厚さを有し、
前記移植片が移植前形態にあるときの移植片の前記複数の孔の少なくとも大部分は、約５００ミクロン〜約２０００ミクロンの範囲の径を有することを特徴とする請求項４に記載の移植片。
【請求項１７】  移植前形態にあり且つ約７２°Ｆにある移植片は、約１００よりも大きいばね定数を有することを特徴とする請求項４に記載の移植片。
【請求項１８】  移植前形態にあり且つ約７２°Ｆにある移植片は、約１００よりも大きいばね定数を有することを特徴とする請求項４に記載の移植片。
【請求項１９】  移植前形態にあり且つ約７２°Ｆにある移植片は、約１６４よりも大きいばね定数を有することを特徴とする請求項４に記載の移植片。
【請求項２０】  前記再吸収性ポリマーベース材料のシートは、移植前形態では実質的に平らであり、
再吸収性ポリマーベース材料は、第一の側と第二の側との間の再吸収性ポリマーベース材料の単一の層であり、前記再吸収性ポリマーベース材料の単一の層は、実質的に均一な厚さと組成を有し、前記再吸収性ポリマーベース材料のシートは、再吸収性であり、移植片が骨欠損の上に移植され、隣接する軟組織と接触して配置された直後の時点から２４ヶ月以内にその機械的強度の少なくとも一部を失い、前記移植片が移植前形態にあるときの移植片の前記複数の孔の少なくとも大部分は、第一の側から第二の側まで孔の長さに沿ってほぼ均一であり、約５００ミクロン〜約３０００ミクロンの範囲の径を有し、各々の隔絶された流体流路は、第一の側と第二の側との間の流路軸線の長さに沿った全ての点において実質的に一定の横断面積を有し、各々の隔絶された流体流路は、実質的に直線である個々の流路軸線に沿って形成されており、
前記移植片は、隣接する軟組織が骨欠損中へ著しく脱出するのを防止するのに充分な形態および強度を有し、
前記移植片が骨欠損上に移植され、隣接する軟組織と接触して配置された直後の移植片の複数の孔の各々は、隣接する軟組織に由来する血管系および結合組織の増殖を可能にし、孔を経て十分に骨欠損中に浸透させるのに充分な寸法の径を有することを特徴とする請求項４に記載の移植片。
【請求項２１】  前記移植片には細胞制御のための少なくとも一つの物質が含浸されていることを特徴とする請求項１に記載の移植片。
【請求項２２】  前記移植片には、細胞移動に影響を与えるための化学走性物質、細胞移動に影響を与えるための阻害物質、細胞増殖に影響を与えるためのマイトジェン増殖因子、細胞分化に影響を与えるための成長因子、血管新生（新たな血管の形成）を促進する因子のうちの少なくとも一つが含浸されることを特徴とする請求項２１に記載の移植片。
【請求項２３】  前記移植片は、約１０ミクロン〜約２０００ミクロンの範囲の厚さを有することを特徴とする請求項１に記載の移植片。
【請求項２４】  前記再吸収性ポリマーベース材料の実質的に平らなシートは、約１ミリメートルの厚さを有することを特徴とする請求項２３に記載の移植片。
【請求項２５】  前記再吸収性ポリマーベース材料のシートの総面積と、前記複数の孔が占める面積との比は、約０．１９３であることを特徴とする請求項１に記載の移植片。
【請求項２６】  前記再吸収性ポリマーベース材料のシートの総面積と、前記複数の孔が占める面積との比は、約０．１９４であることを特徴とする請求項１に記載の移植片。
【請求項２７】  前記再吸収性ポリマーベース材料のシートの総面積と、前記複数の孔が占める面積との比は、約０．０８５８であることを特徴とする請求項１に記載の移植片。
【請求項２８】  前記再吸収性ポリマーベース材料のシートの総面積と、前記複数の孔が占める面積との比は、約０．１２６であることを特徴とする請求項１に記載の移植片。